(57)【要約】【課題】  ベルトの移動量が適切でない場合にも、印字面を適切に位置決めすることができる印判を提供する。【解決手段】  日付印１は、任意に選択可能な印字面２１１を有する移動印字体２１０を固定印字面１１１を有する固定印字部１００の露出孔１１４から露出させて印影を合成する。固定印字部１００の固定印字体１１２とインク貯蔵体１１３を保持する保持部材１２０は、本体ケース２に設けられた一対のボスと保持部材１２０の螺旋溝１２１が係合することにより端部２ａに嵌合するが、端部２ａの内周よりも保持部材１２０の外周の方がわずかに小さく形成されているため、ボスと螺旋溝１２１を結んだ軸線を揺動中心として固定印字部１００が揺動する。従って、移動印字体２１０の露出孔１１４の挿入時には、移動印字体２１０に固定印字部１００がならうこととなり、スムーズに位置決めされて挿入される。【選択図】  図８
2006076159.tif 000002
【特許請求の範囲】
【請求項１】
本体ケースと、
当該本体ケース内に回動可能に支持され、印影を形成するための複数の印字面を有する第一印字体と、
当該第一印字体のいずれかの印字面が挿入されて露出する露出孔を有し、その露出孔から露出された前記印字面とともに印影を形成する第二印字体と、
前記本体ケースの一端側の内側部に支持され、前記第二印字体を保持する保持部材と、
前記保持部材の外周部と前記本体ケースの一端側の内側部との間に設けられ、かつ前記保持部材を前記露出孔に対する前記印字面の挿入方向と交差する方向の一軸線の周りに揺動可能に支持する揺動支持手段と
を備えたことを特徴とする印判。
【請求項２】
前記揺動支持手段は、前記保持部材の外周部と前記本体ケースの一端側の内側部とのいずれか一方に前記露出孔を挟んで対向するように設けられた一対の係合凸部と、他方に設けられ、前記各係合凸部に係合する一対の係合凹部とによって構成し、
前記一対の係合凹凸部を揺動中心として前記保持部材を揺動可能に支持したことを特徴とする請求項１に記載の印判。
【請求項３】
前記露出孔における前記印字面が挿入される側の孔縁部に、傾斜面若しくは弧面を形成したことを特徴とする請求項１又は２に記載の印判。
【発明の詳細な説明】
【技術分野】
【０００１】
本発明は、２つの印字面を組み合わせて１つの印影を形成することが可能な印判に関するものである。
【背景技術】
【０００２】
一般に、日付印や番号印等の回転式印判では、印字面の変更を行なう際には、歯車などを操作してベルトを回転させ、所望の印字面を選択している。このような印字面の選択は、細かい作業になるために、時として誤って回してしまったり、印字面でない中間位置で止めてしまったりして適切な印字面が選択されないことがある。
【０００３】
そこで、例えば特許文献１では、特に、末尾の数桁のみを動かして連続番号などを捺印するような場合に、動かす必要のない中間部分の印字面が誤作動により変更されないようにするため、固定爪刃を設置し、選択された印字面を固定するようにしている。
【特許文献１】特開平１１−１９８５０６号公報
【発明の開示】
【発明が解決しようとする課題】
【０００４】
しかしながら、上記従来の誤作動防止装置では、操作によるベルトの移動量が適切でない場合に、印字面はやはり適切な位置に配置されない問題がある。
【０００５】
本発明は上記問題を解決するためになされたものであり、ベルトの移動量が適切でない場合にも、印字面を適切に位置決めすることができる印判を提供することを目的とする。
【課題を解決するための手段】
【０００６】
上記目的を達成するために、本発明の請求項１に記載の印判は、本体ケースと、当該本体ケース内に回動可能に支持され、印影を形成するための複数の印字面を有する第一印字体と、当該第一印字体のいずれかの印字面が挿入されて露出する露出孔を有し、その露出孔から露出された前記印字面とともに印影を形成する第二印字体と、前記本体ケースの一端側の内側部に支持され、前記第二印字体を保持する保持部材と、前記保持部材の外周部と前記本体ケースの一端側の内側部との間に設けられ、かつ前記保持部材を前記露出孔に対する前記印字面の挿入方向と交差する方向の一軸線の周りに揺動可能に支持する揺動支持手段とを備えたことを特徴とする。
【０００７】
また、本発明の請求項２に記載の印判は、請求項１に記載の発明の構成に加え、前記揺動支持手段が、前記保持部材の外周部と前記本体ケースの一端側の内側部とのいずれか一方に前記露出孔を挟んで対向するように設けられた一対の係合凸部と、他方に設けられ、前記各係合凸部に係合する一対の係合凹部とによって構成し、前記一対の係合凹凸部を揺動中心として前記保持部材を揺動可能に支持したことを特徴とする。
【０００８】
また、本発明の請求項３に記載の印判は、請求項１又は２に記載の発明の構成に加え、前記露出孔における前記印字面が挿入される側の孔縁部に、傾斜面若しくは弧面を形成したことを特徴とする。
【発明の効果】
【０００９】
本発明の請求項１に記載の印判は、露出孔へ印字面が挿入される方向と交差する方向の一軸線上に第二印字体を保持する保持部材が支持され、さらに、その軸線の周りに保持部材が揺動可能としたので、第一印字体を正規位置に配置する際、正確な正規位置よりも少々ずれて露出孔に挿入された場合も、揺動により第一印字体に第二印字体がならった後に、本体ケース内の第二印字体の正規位置に収容されるため、第一印字体の位置決めが適切になされる。また、揺動支持手段を設けない場合に比べて、第一印字体の挿入時のずれを見込む必要がないため、露出孔を小さくすることができる。
【００１０】
また、本発明の請求項２に記載の印判は、請求項１に記載の発明の効果に加え、一対の係合凸部と係合凹部とにより保持部材が支持され、これらが揺動中心となるため、簡単な構造で本発明の効果を実現できる。
【００１１】
さらに、本発明の請求項３に記載の印判は、請求項１又は２に記載の発明の効果に加え、露出孔における印字面が挿入される側の孔縁部に、傾斜面若しくは弧面を形成したので、第一印字体の挿入時にスムーズに露出孔に誘導することができる。
【発明を実施するための最良の形態】
【００１２】
次に、本発明を実施するための最良の形態について、一例としての日付印１を用いて図面を参照しながら説明する。図１は、捺印可能な状態の日付印１の斜視図である。図２は、印字面２１１の変更が可能な状態の日付印１の斜視図である。図３は、日付印１の分解斜視図である。図４は、移動印字部材２１０を保持した保持体２３０の斜視図である。図５は、図１に示す一点鎖線において矢視方向Ａから見た、日付印１の断面図である。図６は、図１に示す一点鎖線において矢視方向Ｂから見た、操作部２０５を除いた状態の日付印１の断面図である。図７は、保持部材１２０の平面図である。図８は、移動印字部材２１０が露出孔１１４に挿入される際の、図１に示す一点鎖線において矢視方向Ａから見た、日付印１の断面図である。
【００１３】
図１に示すように、日付印１は略円筒状の本体ケース２を有しており、本体ケース２は、両側の端部として筒端部２ａ及び筒端部２ｄを有し、筒端部２ａの口径は、胴回りよりやや大きく構成されている。本体ケース２の外周面には、開口部２ｂが形成され、開口部２ｂは、筒端部２ｄに設けられた操作部２０５の操作により開口・閉鎖される。
【００１４】
筒端部２ａの端部には、紙等の被捺印媒体に印影を形成するための印字面が保持されている。略円形状に形成されたこの印字面は、本体ケース２の軸方向に対して直交する面となっており、印影が不変の印字面１１１と、数字や記号などを組み合わせて任意の日付等の印影を形成可能な印字面２１１との合成により、一つの印影を形成できるように構成されている。また、筒端部２ａ側には、日付印１の非使用時に、印字面１１１，２１１を覆って保護するためのキャップ１０が、本体ケース２に対して着脱可能に設けられている。
【００１５】
次に、図１に示す状態の日付印１を、本体ケース２を保持しながら操作部２０５を本体ケース２に対して周方向に略１８０度回転させると、図２に示すように、本体ケース２の内部に収容された移動印字部２００（図３参照）が回転し、開口部２ｂが開口して、印字面２１１の変更が可能な状態となる。印字面の変更方法については後述する。
【００１６】
次に、図３に示すように、本体ケース２の内部には、印字面２１１を保持する移動印字部２００と、印字面１１１を保持する固定印字部１００とが収容されている。また、本体ケース２の筒端部２ａの内側部には、一対のボス２ｃが互いに向き合うように形成されている。
【００１７】
固定印字部１００は、本体ケース２の筒端部２ａの内周に嵌合する保持部材１２０に、印字面１１１を有する固定印字部材１１２（図５参照）とその固定印字部材１１２に接触してインクを供給するインク貯蔵体１１３（図５参照）とが保持されて構成されている。保持部材１２０の外周には、螺旋状の螺旋溝１２１が２本設けられている。この螺旋溝１２１には、筒端部２ａの内側部にあるボス２ｃが係合されるようになっている。
【００１８】
螺旋溝１２１の末端１２１ａには、螺旋溝１２１の底面を隆起させたストッパ１２１ｂが設けられ、末端１２１ａに位置させたボス２ｃの螺旋溝１２１に沿った方向への移動が規制される。また、螺旋溝１２１の始端にも同様のストッパ１２１ｃが設けられており、始端に位置させたボス２ｃの移動が規制される。保持部材１２０は、筒端部２ａの内周よりもわずかに径が小さく形成され、螺旋溝１２１の末端にボス２ｃが係合されたとき、これら螺旋溝１２１とボス２ｃの一対の係合部を結んだ線を軸線Ｘとして（図６参照）、移動印字部材２１０が挿入される露出孔１１４（後述）と交差する方向に揺動可能になっている。尚、ボス２ｃが本発明の係合凸部に、螺旋溝１２１が本発明の係合凹部に相当し、これらによって本発明の揺動支持手段が構成される。
【００１９】
保持部材１２０の内部からは、印字面１１１とは反対の方向に２つの一対のガイド部材１２３がそれぞれ突設されている。また、固定印字部材１１２及びインク貯蔵体１１３（図５参照）を保持する保持部材１２０のその保持部分の側面には、一対の突起部１２２が設けられている。この突起部１２２は、キャップ１０の内側に設けられた係合部（図示外）に係合されるようになっている。さらに、固定印字部１００の印字面１１１の略中央には、印字面１１１の面と直交する方向に固定印字部１００を貫通する略長方形の露出孔１１４が設けられている。露出孔１１４は、移動印字部材２１０の印字面２１１を、本体ケース２から露出させるための孔である。
【００２０】
次に、移動印字部２００は、円筒状の支持ケース２０１内に、印字面２１１を有する５つの移動印字部材２１０が略長板状の保持体２３０（図４参照）に保持されて構成されている。支持ケース２０１は、収容される本体ケース２の内周にあわせて円筒状に形成されている。支持ケース２０１の印字面側の端部には、その外周を取り巻くツバ２０３が、外周面と直交する方向に突設され、支持ケース２０１を収容する本体ケース２の軸方向に対して直交する方向と平行な平面が形成されている。ツバ２０３の外周は、胴周りより口径の大きな本体ケース２の筒端部２ａの内周とほぼ同じ大きさとなっている。また、支持ケース２０１を本体ケース２へ収容する際にボス２ｃに干渉しないように、ツバ２０３には２ヶ所に切欠部２０４が設けられている。また、保持体２３０の両側部には、固定印字部１００の一対のガイド部材１２３の間に挟み込まれる２つのガイド片２３２がそれぞれ形成されている。
【００２１】
支持ケース２０１の一側面には、軸方向に沿って４本の長細い溝状のガイド溝２０２が開口されている。これらのガイド溝２０２は、支持ケース２０１を本体ケース２に収容し、印字面２１１の変更が行える状態では、開口部２ｂより露出される（図２参照）。
【００２２】
次に、移動印字部材２１０の構造を図４及び図５を参照して説明する。図４に示すように、移動印字部材２１０は、保持体２３０の長手方向に沿って、それぞれ個別に回転可能に並列させて支持した５本のベルト体２２０の外周面に、ベルト体２２０の回転とともにその位置が移動されるように固定されている。移動印字部材２１０は、ベルト体２２０の外周面において突設状に設けられ、その先端に印字面２１１を有する印字部２１２がベルト体２２０の回転方向に沿って複数列設されており、各印字部２１２の根元部分が連結部２１３によって連結された構造を有する。この移動印字部材２１０の長さは、ベルト体２２０の半周以下となっている。この移動印字部材２１０を構成する、印字面２１１を有する印字部２１２と連結部２１３とは、例えば多孔性樹脂などのインク含浸体からなり、一体に形成される。なお、移動印字部材２１０が、本発明における第一印字体に相当する。
【００２３】
ベルト体２２０の外周面には、各ベルト体２２０を個々に回転させる際にスライド操作するスライド部２２１が突設されており、保持体２３０の長手方向に沿ってスライド部２２１をスライド移動させることでベルト体２２０を回転させることができる。さらに、ベルト体２２０の外周面で、移動印字部材２１０が固定された側と反対側の外周面には、各印字部２１２の印字面２１１にそれぞれ対応した印影の見本２２２が印刷されている。尚、保持体２３０を支持ケース２０１に収容すると、前述したガイド溝２０２（図３参照）からスライド部２２１が支持ケース２０１の外方に突出される。
【００２４】
また、図５に示すように、ベルト体２２０のスライド部２２１には、そのスライド方向と直交する方向に出退可能に付勢された凸部２２３が突設されている。また、保持体２３０の内部には、凸部２２３に係合してベルト体２２０の回転に負荷を与えることで位置決めする凹部２３１が、ベルト体２２０の回転方向に沿って印字部２１２の数だけ設けられている。この構成は、凸部２２３が凹部２３１に係合された状態では、その凹部２３１に対応した印字部２１２が、保持体２３０の長手方向の一方の側面に位置されるように、ベルト体２２０の位置決めを行うためのものである。また、スライド部２２１が操作されていずれかの印字部２１２が保持体２３０の長手方向の一方の側面（図５における紙面下側の側面）に位置されたとき、他方の側面（図５における紙面上側の側面）には、その印字面２１１に対応した印影の見本２２２が位置されるようになっている。移動印字部２００の操作部２０５の底面には見本窓２ｅが開口されており、保持体２３０の長手方向の他方の側面に位置された見本２２２が、その見本窓２ｅを介して目視可能となっている。
【００２５】
次に、固定印字部１００の構造について図５〜図７を参照して詳細に説明する。図５及び図６に示すように、固定印字部１００は、印字面１１１を有する固定印字部材１１２の背面にインク貯蔵体１１３が保持部材１２０により保持されている。インク貯蔵体１１３は、例えば多孔性樹脂からなり、内部にインクを染み込ませることによってインクを貯蔵することができる。固定印字部材１１２もまた多孔性樹脂からなり、印字面１１１は、公知のように、固定印字部材１１２の印影となる部分をマスクした状態で圧縮しつつ露光し、露光された部分が溶解して孔を塞ぐことによって形成される。固定印字部材１１２は、インク貯蔵体１１３からインクの供給を受ける。また、図５及び図７に示すように、固定印字部材１１２及びインク貯蔵体１１３を貫通する露出孔１１４の周囲には、移動印字部材２１０が挿入される側から印字面１１１に向かって傾斜面となり、移動印字部材２１０の挿入を容易にする孔縁部１１５が形成されている。孔縁部１１５は、移動印字部材２１０の挿入をサポートすることができればよく、傾斜面に限らず、弧面であってもよい。尚、固定印字部材１１２が、本発明の第二印字体に相当する。
【００２６】
このような構成の日付印１を組み立てる際には、図３に示すように、まず、分離可能な操作部２０５を分離した支持ケース２０１を本体ケース２の筒端部２ａ側より本体ケース２に挿入し、筒端部２ｄ側から操作部２０５を支持ケース２０１に係合させて固定させる。そして、筒端部２ａ側より固定印字部１００の一対のガイド部材１２３の間に保持体２３０の２つのガイド片２３２をそれぞれ挟み込ませつつ、本体ケース２のボス２ｃを固定印字部１００の螺旋溝１２１に係合させ、固定印字部１００の取り付けを行う。
【００２７】
螺旋溝１２１の始端より螺旋溝１２１に係合されたボス２ｃがストッパ１２１ｃを乗り越えた位置では、固定印字部１００は本体ケース２の筒端部２ａから露出している。従って、移動印字部材２１０の選択されている印字面２１１は、固定印字部１００の露出孔１１４から露出しない位置にある（図２参照）。また、この状態では、固定印字部１００は、ボス２ｃと螺旋溝１２１の一対の係合部を結ぶ軸線Ｘを揺動中心として（図６参照）、露出孔１１４と交差する方向に揺動可能となっている。
【００２８】
次に、固定印字部１００を回転させながらボス２ｃを螺旋溝１２１に沿ってスライドさせる。このとき、ガイド片２３２がガイド部材１２３に挟まれているので、固定印字部１００が回転されれば支持ケース２０１も回転されることとなる。よってこの操作は、支持ケース２０１の操作部２０５を本体ケース２に対して回転させることで行うことができる。螺旋溝１２１にボス２ｃが案内されると、固定印字部１００は本体ケース２に納められる方向に移動される。このように螺旋溝１２１にボス２ｃが案内されていくと、移動印字部材２１０は、孔縁部１１５に案内されつつ、露出孔１１４に挿入される。さらに、固定印字部１００は、ボス２ｃと螺旋溝１２１の一対の係合部を結ぶ軸線Ｘ（図６参照）を揺動中心として、図８に示すように、露出孔１１４と交差する方向に揺動する。従って、揺動するうちに、固定印字部１００は、移動印字部材２１０にならうこととなり、印字面２１１が露出孔１１４の正規位置に位置決めされ、挿入が完了する（図１、図５参照）。また、ボス２ｃが螺旋溝１２１のストッパ１２１ｂを乗り越え末端の位置に達することで、本体ケース２に対して固定印字部１００が位置決めされる（図５参照）。
【００２９】
印字面２１１の変更を行う場合は、日付印１の組み立て時と同様に、本体ケース２を保持して操作部２０５を回転させれば、ボス２ｃが螺旋溝１２１に沿ってスライドされる。すると、固定印字部１００は本体ケース２の軸方向に出退される。そして、固定印字部１００の露出孔１１４より移動印字部材２１０の選択されている印字面２１１が引き抜かれた状態となる（図２参照）。この状態でスライド部２２１を操作すれば、任意の印字面２１１の選択を行うことができる。尚、捺印可能な状態に固定印字部１００を移動させる場合、螺旋溝１２１がボス２ｃを案内する方向が固定印字部１００の出退方向（本体ケース２の軸方向）に対して斜めとなっているため、固定印字部１００と移動印字部２００とが急激に接近することがない。
【００３０】
以上説明したように、本実施形態の日付印１は、保持部材１２０の外周が、嵌合先である筒端部２ａの内周よりもわずかに径が小さく形成されており、筒端部２ａと保持部材１２０との間にガタが形成されている。そして、固定印字部１００は、筒端部２ａに設けられた一対のボス２ｃと保持部材１２０に設けられた螺旋溝１２１との２箇所が係合することにより本体ケース２内に支持される。従って、固定印字部１００は、ボス２ｃと螺旋溝１２１の一対の係合部を結んだ軸線Ｘを揺動中心として露出孔１１４と交差する方向に揺動することとなる。固定印字部１００が本体ケース２内に収容されるとき、移動印字部材２１０は、孔縁部１１５に案内されつつ、露出孔１１４に挿入され、さらに、固定印字部１００が揺動しつつ、移動印字部材２１０が挿入されていくことになる。従って、移動印字部材２１０の印字部２１２の挿入のためのマージンを大きく取らず、まっすぐに挿入できる程度の大きさに露出孔１１４を小さく形成しても、スムーズに移動印字部材２１０を露出孔１１４に挿入することができる。
【図面の簡単な説明】
【００３１】
【図１】捺印可能な状態の日付印１の斜視図である。
【図２】印字面２１１の変更が可能な状態の日付印１の斜視図である。
【図３】日付印１の分解斜視図である。
【図４】移動印字部材２１０を保持した保持体２３０の斜視図である。
【図５】図１に示す一点鎖線において矢視方向Ａから見た、日付印１の断面図である。
【図６】図１に示す一点鎖線において矢視方向Ｂから見た、操作部２０５を除いた状態の日付印１の断面図である。
【図７】保持部材１２０の平面図である。
【図８】移動印字部材２１０が露出孔１１４に挿入される際の、図１に示す一点鎖線において矢視方向Ａから見た、日付印１の断面図である。
【符号の説明】
【００３２】
１      日付印
２      本体ケース
２ｃ      ボス
１００      固定印字部
１１１      印字面
１１２      固定印字部材
１１３      インク貯蔵体
１１４      露出孔
１１５      孔縁部
１２０      保持部材
１２１      螺旋溝
２００      移動印字部
２０２      ガイド溝
２１０      移動印字部材
２１１      印字面
２１２      印字部
【図１】
2006076159.tif 000003
【図２】
2006076159.tif 000004
【図３】
2006076159.tif 000005
【図４】
2006076159.tif 000006
【図５】
2006076159.tif 000007
【図６】
2006076159.tif 000008
【図７】
2006076159.tif 000009
【図８】
2006076159.tif 000010